(57)【特許請求の範囲】
【請求項１】
スマートフォン親局と、複数台のスマートフォン子局と、がスマートフォンシステムを構成する通信回線により相互に通信可能に接続されたシステムであって、
前記スマートフォン親局は、スマートフォン親機により構成され、
前記複数台のスマートフォン子局は、
スマートフォン子機と、
前記スマートフォン子機の音が入力され、電源が供給されると、入力された音を増幅して放送用音信号を出力する音拡声アンプと、
前記スマートフォン子機の出力する音が入力され、前記音の入力レベルが閾値を超えると、前記音拡声アンプをオンとし、前記音の入力レベルが前記閾値未満の状態が所定時間継続すると、前記音拡声アンプをオフとする音アンプ起動装置と、
前記放送用音信号が入力されると、放送音声として拡声する放送用スピーカと、をそれぞれ有し、
前記スマートフォン親機は、
前記スマートフォン子機の全部又は１台を選択し、選択したスマートフォン子機に前記音拡声アンプを介して接続された前記放送用スピーカから前記放送音声を出力し、各前記スマートフォン子機から所定時間間隔毎に前記各スマートフォン子局の周囲の状況を撮影したストリーミング動画を前記スマートフォン親機へ送信することを特徴とする遠隔放送システム。
【請求項２】
前記スマートフォン子局は、
通常時は、商用電源から前記スマートフォン子機及び前記音アンプ起動装置へ電力が供給され、前記商用電源及び太陽電池で発電される電力により二次電池を充電し、
停電時は、前記スマートフォン子機及び前記音アンプ起動装置の動作電源を前記商用電源に代えて、前記二次電池及び前記太陽電池で発電された電力に切換えることを特徴とする請求項１に記載の遠隔放送システム。
【請求項３】
前記スマートフォンシステムを構成する通信回線は、更に、
前記スマートフォン親機又はパソコンから放送内容の音声を録音して転送すると、転送された前記放送内容の音声を音声ファイルとして保持し、設定された放送時刻及びリピート回数に応じて前記音声ファイルを前記スマートフォン子機に転送して音声ファイル放送を行う中継クラウドサーバを有することを特徴とする請求項１に記載の遠隔放送システム。
【請求項４】
前記スマートフォンシステムを構成する通信回線は、更に、
前記スマートフォン親機又はパソコンからテキストメッセージを入力して転送すると、転送された前記テキストメッセージを音声合成して音声ファイルとして保持し、設定された放送時刻及びリピート回数に応じて前記音声ファイルを前記スマートフォン子機に転送して音声ファイル放送を行う中継クラウドサーバを有することを特徴とする請求項１に記載の遠隔放送システム。
【発明の詳細な説明】
【技術分野】
【０００１】
本発明は、音アンプ起動装置、音拡声アンプ及び遠隔放送システムに関する。
【背景技術】
【０００２】
平常時には行政情報や行事情報等を伝える行政放送を行い、災害時には災害情報を伝える緊急放送を行う遠隔放送システムが全国の市町村に普及している。この遠隔放送システムは、放送内容を送信する親局と、放送を受信して拡声スピーカ等により放送内容を住民に告知する子局と有線又は無線で接続された構成になっている。
【０００３】
下記特許文献１の図１には、親局ＢＳ、中継局ＲＳ、及び複数の子局とを備え、親局ＢＳと各子局との間で直接或いは中継局ＲＳを介して双方向又は単方向の無線通信を行う防災無線システムが開示されている。このシステムでは、子局の状態監視は、所定の期間ごとのポーリング処理により行われ、子局の状態情報が親局ＢＳへ収集されるようになっている。親局ＢＳは、操作卓と無線装置とにより構成されており、市町村の職員等が収集された子局の状態情報に基づいて、役場等の放送室に設けられている操作卓に接続された放送用マイクから、行政情報、災害情報及び非難誘導情報を放送を行うようになっている。
【０００４】
又、下記特許文献２には、地震／津波などの一刻を争う災害時において、住民側で普及している情報端末であるスマートフォンや携帯電話などを活用し、住民がいつでもどこでも防災放送の視聴を可能とする防災音声配信システムが提案されている。
【先行技術文献】
【特許文献】
【０００５】
【特許文献１】特開２００６−１６５６７４号公報
【特許文献２】特開２０１４−１１２７５４号公報
【発明の概要】
【発明が解決しようとする課題】
【０００６】
特許文献１の防災無線システムにおいて、役場等に設けられた放送室から市町村の職員等が災害情報や非難誘導情報を放送している。これは、混乱を避けて的確に住民を非難誘導するためには、役場等に集まった子局の状態情報等の様々な情報を取捨選択して、災害情報や避難誘導情報を放送する必要があるためである。通常、役場等は、津波等が押寄せない高台に建設されている。
【０００７】
しかし、特許文献１の防災無線システムは、未曾有の地震による津波により放送室がある役場の建物自体が流されるような場合は考慮されておらず、放送者は常に放送室内の操作卓の近くにいることが強いられる。そのため、再び、未曾有の地震による津波等の災害が発生した場合には、放送者が逃げ遅れて犠牲になる危険性を有している。
【０００８】
又、特許文献２の防災音声配信システムについても、放送室がある役場の建物自体が流されるような場合は考慮されておらず、災害時に、放送者が逃げ遅れて犠牲になる危険性については考慮されていない。
【０００９】
そこで、本発明は、放送者が自ら避難しながら避難誘導放送ができる音声アンプ起動装置、音拡声アンプ及び遠隔放送システムを提供することを目的とする。
【課題を解決するための手段】
【００１０】
本発明の第１側面の音アンプ起動装置は、スマートフォン子機からブルーツース又はケーブルで入力される音入力レベルが閾値を超えると、入力される音信号を増幅した音信号を放送用スピーカへ出力する音アンプをオンとし、前記音入力レベルが前記閾値未満の状態が所定時間継続すると、前記音アンプをオフとすることを特徴とする。
【００１１】
第２側面の音拡声アンプは、入力される音を増幅して放送用スピーカへ出力する音アンプと、スマートフォン子機からブルーツース又はケーブルで入力される音入力レベルが閾値を超えると、前記音アンプをオンとし、入力される音信号を増幅した放送用音信号を放送用スピーカへ出力し、前記音入力レベルが前記閾値未満の状態が所定時間継続すると、前記音アンプをオフとすることを特徴とする。
【００１２】
第３側面の遠隔放送システムは、スマートフォン親局と、複数台のスマートフォン子局と、がスマートフォンシステムを構成する通信回線により相互に通信可能に接続されたシステムであって、前記スマートフォン親局は、スマートフォン親機により構成され、前記複数台のスマートフォン子局は、スマートフォン子機と、前記スマートフォン子機の音が入力され、電源が供給されると、入力された音を増幅して放送用音信号を出力する音拡声アンプと、前記スマートフォン子機の出力する音が入力され、前記音の入力レベルが閾値を超えると、前記音拡声アンプをオンとし、前記音の入力レベルが前記閾値未満の状態が所定時間継続すると、前記音拡声アンプをオフとする音アンプ起動装置と、前記放送用音信号が入力されると、放送音声として拡声する放送用スピーカと、をそれぞれ有し、前記スマートフォン親機は、前記スマートフォン子機の全部又は１台を選択し、選択したスマートフォン子機に前記音アンプを介して接続された前記放送用スピーカから前記放送音声を出力し、各前記スマートフォン子機から所定時間間隔毎に前記各スマートフォン子局の周囲の状況を撮影したストリーミング動画や静止画を前記スマートフォン親機へ送信することを特徴とする。
【発明の効果】
【００１３】
本発明の遠隔放送システムのスマートフォン子局は、スマートフォン子機から入力される音入力レベルが閾値を超えると、入力される音声信号を増幅した放送音声信号を放送用スピーカへ出力する音起動アンプの電源をオンとし、音声入力レベルが閾値未満の状態が所定時間継続すると、音起動アンプの電源をオフとする音起動アンプ起動装置を有している。放送者は、携帯するスマートフォン親機からスマートフォン子局を選択し、スマートフォン親機とスマートフォン子局の通信回線を接続することができる。これにより、放送者は、避難しながら避難誘導の放送を行うことが可能になる。
【００１４】
更に、本発明の遠隔放送システムの各スマートフォン子局は、所定時間間隔毎で各スマートフォン子局の周囲の状況を撮影したスツリーミング動画をスマートフォン親局へ送信する。これにより、放送者は、移動しながら各スマートフォン子局の周囲の状況を撮影したストリーミング動画、静止画を収集することができる。これにより、災害時に、情報収集のために、放送者が、情報が集まる放送室に留まる必要性が少なくなるので、放送者が放送室に留まったために逃げ遅れて犠牲になる危険性が軽減される。
【図面の簡単な説明】
【００１５】
【図１】本発明の実施形態の遠隔放送システムの概略を示すシステム構成図
【図２】図１中の音アンプ起動装置の機能の概略を示す機能ブロック図
【図３】スマートフォン子局の電源系統図
【図４】本発明の遠隔放送システムの通信接続処理を示すシーケンスチャート
【図５】本発明の遠隔放送システムの通信切断処理を示すシーケンスチャート
【図６】本発明の遠隔放送システムの音声放送の処理を示すフローチャート
【図７】図２の音アンプ起動装置の動作を説明するための波形図
【図８】本発明の遠隔放送システムのストリーミング動画、静止画収集の処理を説明する図
【発明を実施するための形態】
【００１６】
以下に本発明の実施形態について図面を参照しながら詳細に説明する。
（実施形態のシステム構成）
図１は、本発明の実施形態の遠隔放送システムの概略を示すシステム構成図である。
【００１７】
本発明の実施形態の遠隔放送システムは、スマートフォン親局１０と、複数台のスマートフォン子局３０（＝３０−１，３０−２，・・・，３０−ｎ）とがスマートフォンシステム（以下「スマートフォン」という。）を構成する通信回線（ネットワーク、又はクラウドとも呼ぶ）により相互に通信可能に接続されたシステムである。通信回線は、例えば、中継クラウドサーバ２０を含んで構成されている。
【００１８】
中継クラウドサーバ２０は、スマートフォン親局１０又は図示しないパソコンから放送内容の音声を録音して転送すると、転送された放送内容の音声を音声ファイルとして保持し、設定された放送時刻及びリピート回数に応じて音声ファイルをスマートフォン子局３０に転送して音声ファイル放送を行う機能を有している。更に、スマートフォン親局１０又は図示しないパソコンからテキストメッサージを入力して転送すると、転送されたテキストメッセージを音声合成して音声ファイルとして保持し、設定された放送時刻及びリピート回数に応じて音声ファイルをスマートフォン子局に転送して音声ファイル放送を行う機能を有している。
【００１９】
尚、通信回線には、図示しないワイファイ回線、ブルーツース（登録商標）回線、モバイル回線の単独又はこれらの回線を組み合わせた回線も含むものとする。
【００２０】
スマートフォン親局１０は、少なくともアンテナ１１と、タッチパネル１２と、マイク１３とを備えるスマートフォン親機１０により構成されている。タッチパネル１２は、選択可能なスマートフォン子局３０を表示し、選択可能な後述する録音再生モード、通話モート等の放送モードを表示する操作パネルとして機能する。更に、タッチパネル１２は、選択したスマートフォン子局３０から送られてくる静止画やストリーミング動画を表示する表示パネルとして機能する。
【００２１】
スマートフォン子局３０は、少なくともアンテナ３１と音出力端子３３とカメラ３７とを備えるスマートフォン子機３２と、音アンプ３４と、音アンプ起動装置３５と、放送用スピーカ３６と、から構成されている。
【００２２】
スマートフォン親局１０は、本発明の遠隔放送システムに属する全部又は１台のスマートフォン子局３０を選択し、放送者がマイク１３から話すことにより、選択されたスマートフォン子局３０の放送用スピーカ３６から放送音声を出力して放送を行う機能を有している。スマートフォン親局１０は、タッチパネル１２からサイレン、チャイム、ラジオ体操等の放送内容が選択できるように構成されている。
【００２３】
更に、スマートフォン親局１０により選択されたスマートフォン子局３０は、カメラ３６で周囲の状況を撮影したストリーミング動画や静止画を所定時間（例えば、１秒）間隔でスマートフォン親機１０へ送信する。
【００２４】
尚、上述した遠隔放送システムを「スマ放クラウド」システム（商標登録出願中）と称し、「スマ放クラウド」システムを既存の防災システムに付帯する場合は、「スマ放ブリッジ」（商標登録出願中）と称する。
【００２５】
（音アンプ起動装置の構成）
図２は、図１中の音アンプ起動装置３５の機能の概略を示す機能ブロック図である。
音アンプ起動装置３５は、スマートフォン子機３２から入力される音出力を検波して直流電圧を出力する検波回路４１と、検波回路４１の出力する直流電圧が閾値を超えると、例えば、“１”を出力するコンパレータ４２と、コンパレータ４２が“１”を出力したときオンして音アンプ３４へ電力を供給する電源スイッチ４４と、検波回路４１の出力する直流電圧が閾値未満になった時に起動して所定時間（例えば、３０秒）をカウントして所定時間経過後に電源スイッチ４４をオフにして音アンプ３４への電力の供給を遮断するオフタイマ４３を含んで構成されている。
【００２６】
音アンプ３４に、出力から入力への音の回り込みによるエコーを軽減するため、位相を反転及び遅延等によるハウリングエコーキャンセル機能を付加している。
検波回路４１は、例えば、図示しない検波用ダイオード、抵抗及びコンデンサ等により構成される。コンパレータ４２は、例えば、図示しない演算増幅器（オペアンプ）及び抵抗等により構成される。オフタイマ４３は、例えば、図示しないデジタルカウンタ、又は抵抗及びコンデンサからなる時定数回路等により構成される。電源スイッチ４４は、オン抵抗の小さなスイッチング素子、例えば、図示しないＮＰＮ形トランンジスタ等により構成される。
【００２７】
スマートフォン子局３０の電源系統図が図３に示されている。スマートフォン子局３０には、商用電源５１と太陽電池４５が接続されている。商用電源５１から供給される交流ＡＣ１００Ｖ（５０Ｈｚ／６０Ｈｚ）は、ＡＣ／ＤＣコンバータ５２を介してスマートフォン子局３０へ直流電力が供給される。太陽電池５４が出力する直流電力はインバータ５５により交流電力に変換され、ＡＣ／ＤＣコンバータ５２を介してスマートフォン子局３０へ直流電力が供給される。更に、ＡＣ／ＤＣコンバータ５２の出力端には、停電時のバックアップ用の２次電池５３が接続されている。
【００２８】
尚、図３に示したような太陽電池をバックアップ電源とするソーラー型の遠隔放送システムを「スマ放ステーション」と称する。
（実施形態のシステムの動作）
本発明の実施形態の遠隔放送システムの動作について、（Ｉ）システムの通信接続処理と、（II）システムの通信切断処理と、（III）音声放送の処理と、（IV）ストリーミング動画、静止画収集の処理と、に分けて説明する。
【００２９】
（Ｉ）システムの通信接続処理
図４は、本発明の遠隔放送システムの通信接続処理を示すシーケンスチャートである。
図１を参照しつつ、図４に示されたシーケンスチャートに沿って、本システムの通信接続処理について説明する。
【００３０】
ステップＳ１において、スマートフォン親局１０のアプリが起動されると、スマートフォン親局１０は、約３秒から１０秒で接続可能なスマートフォン子局３０をサーチして、タッチパネル１２上に選択可能なスマートフォン子局３０を表示し、ステップＳ２へ進む。ステップＳ２において、タッチパネル１２上に表示された選択可能なスマートフォン子局３０が選択されると、中継クラウドサーバー２０は、選択されたスマートフォン子局３０に、スリープモード確認コマンドを送信し、ステップＳ３へ進む。ステップＳ３において、スマートフォン子局３０は、１０秒間待機し、ステップＳ４へ進む。
【００３１】
ステップＳ４において、スマートフォン子局３０は、起動予約確認を行い、中継クラウドサーバー２０へその旨を返信し、ステップＳ５へ進む。ステップＳ５において、スマートフォン子局３０が、中継クラウドサーバー２０とスマートフォン子局３０との通信の確立を確認すると、ステップＳ６へ進む。
【００３２】
ステップＳ６において、中継クラウドサーバー２０は、中継クラウドサーバー２０とスマートフォン子局３０との通信が確立したことをスマートフォン親局１０へ通知し、ステップＳ７へ進む。ステップＳ７において、スマートフォン親局１０は、スマートフォン親局１０と中継クラウドサーバー２０との通信の確立を確認すると、ステップＳ８へ進む。ステップＳ８において、中継クラウドサーバー２０は、中継クラウドサーバー２０とスマートフォン親局１０との通信が確立したことをスマートフォン子局３０へ通知し、ステップＳ９へ進む。ステップＳ９において、スマートフォン子局３０の画面が起動され、通信状態が開始される。ここで、通信状態は、中継クラウドサーバー２０を介してスマートフォン親局１０からスマートフォン子局３０への下りの音声通信と、中継クラウドサーバー２０を介してスマートフォン子局３０からスマートフォン親局１０への上りのストリーミング動画、静止画伝送とが行われている状態である。
【００３３】
（II）システムの通信切断処理
図５（ａ），（ｂ）は、本発明の遠隔放送システムの通信切断処理を示すシーケンスチャートである。
【００３４】
先ず、親局側からの通信切断処理を示す図５（ａ）を見ると、ステップＳ１１において、スマートフォン親局１０のタッチパネル１２で子局切断の操作が行われると、ステップＳ１２へ進む。ステップ１２において、スマートフォン親局１０から中継クラウドサーバー２０へ接続断要求コマンドを送信し、ステップＳ１３へ進む。ステップＳ１３において、中継クラウドサーバー２０からスマートフォン子局３０へ中継クラウドサーバー２０との接続断要求コマンドを送信し、ステップＳ１４において、中継クラウドサーバー２０は、接続情報を初期化する。
【００３５】
ステップＳ１５において、スマートフォン子局３０は、接続断要求を検知し、ステップＳ１６へ進む。ステップＳ１６において、スマートフォン子局３０は、画面終了し、ステップＳ１７へ進み、ステップＳ１７において、スリープモードへ移行する。
【００３６】
次に、子局側からの通信切断処理を示す図５（ｂ）を見ると、ステップＳ２１において、スマートフォン子局３０で接続断のイベントが発生すると、ステップＳ２２へ進む。ここで、スマートフォン子局３０で接続断のイベントとは、例えば、スマートフォン親局１０からスマートフォン子局３０への下りの音声放送が１０分間継続して行われない場合等であり、接続断のイベントは、予め決めておくものとする。
【００３７】
ステップＳ２２において、中継クラウドサーバー２０は、接続断の通知を受付けると、ステップＳ２３へ進む。ステップＳ２３において、中継クラウドドサーバー２０は、スマートフォン親局１０へ接続断を通知し、ステップＳ２４に進み、接続情報を初期化する。
【００３８】
ステップＳ２５において、スマートフォン親局１０は、接続断を検知し、通信を終了する。
【００３９】
（III）音放送の処理
図６（ａ）〜（ｅ）は、図２の音アンプ起動装置３５の動作を説明するための波形図である。図６（ａ）は入力音声波形であり、図６（ｂ）は検波回路４１の出力波形であり、図６（ｃ）はコンパレータ４２の出力波形であり、図６（ｄ）はオフタイマ４３の出力波形であり、更に、図６（ｅ）は音声アンプ３３へ供給される電源電圧波形である。又、図７は、本発明の遠隔放送システムの音声放送の処理を示すフローチャートである。尚、図７の処理は、通信接続がされた状態における処理を表している。
【００４０】
図１、図２及び図６を参照しつつ、図７に示されたフローチャートに沿って、本発明の音声放送の処理について説明する。
図７において、処理が開始されると、ステップＳ３１へ進み、スマートフォン親局１０において、放送モードの選択が行われる。具体的には、タッチパネル１２に選択メニューとして、例えば、サイレン音、チャイム音、ラジオ体操等の録音を再生して放送する録音再生モードと、放送者がマイク１３に向かって話す通話モードが表示させる。放送者が、タッチパネル１２にタッチして何れかの放送モードを選択すると、ステップＳ３２へ進む。
【００４１】
ステップＳ３２において、スマートフォン親局１０から音声放送が開始されると、ステップＳ３３へ進む。ステップＳ３３において、スマートフォン子局３０のスマートフォン子機３２の音出力端子３３から音アンプ起動装置３５へ音声が出力され、ステップＳ３４へ進む（図２参照）。
【００４２】
図２と図６とを見ると、時刻ｔ１以前は、スマートフォン子機３２の音出力端子３３からは音声は出力されておらず、図２中の検波回路４１の出力電圧は０Ｖであり、コンパレータ４２の出力は、“０”であり、音アンプ３４へ直流電力は供給されていない。
【００４３】
ステップＳ３４において、図２中の検波回路４１の出力する直流電圧（ｂ）が、コンパレータ４２の閾値を超えると、ステップＳ３５へ進み、ステップＳ３５において、音アンプ３４へ電力が供給され、ステップＳ３６へ進み、放送用スピーカ３６から放送音声が拡声され、ステップＳ３７へ進む。
【００４４】
図６を見ると、時刻ｔ１〜ｔ２において、スマートフォン子機３２の音出力端子３３からは音が出力され始めているが、時刻ｔ２までの間は、検波回路４１の出力電圧が閾値未満であるため、コンパレータ４２の出力は、“０”であり、音アンプ３４へ直流電力は供給されていない。
【００４５】
時刻ｔ２〜ｔ３において、検波回路４１の出力波形の電圧は、閾値以上であるので、コンパレータ４２の出力は、“１”となり、音アンプ３３へ電力が供給されている。
ステップＳ３７において、図２中の検波回路４１の出力する直流電圧（ｂ）が、コンパレータ４２の閾値以上（Ｎｏ）である間は、ステップＳ３５〜Ｓ３７の処理を繰り返し、放送用スピーカ３６から放送音声が拡声し続ける。ステップＳ３７において、図２中の検波回路４１の出力する直流電圧（ｂ）が、コンパレータ４２の閾値未満となると（Ｙｅｓ）、ステップＳ３８へ進む。ステップＳ３８において、オフタイマ４３は、図２中のコンパレータ４２の出力が“１”から“０”に変化した時刻ｔ３から所定時間、例えば、３０秒のカウントを開始し、ステップＳ３９へ進む。ステップＳ３９において、カウント時間が所定時間に達すると（Ｙｅｓ）、ステップＳ４０へ進む。
【００４６】
ステップＳ４０において、音アンプ３４への電力供給が遮断され、ステップＳ３１へ戻る。
図６を見ると、時刻ｔ３を境にそれ以降の時刻では、検波回路４１の出力する直流電圧（ｂ）は、閾値未満であるので、時刻ｔ３において、オフタイマ４３が起動され、所定時間、例えば３０秒のカウントを開始する。オフタイマ４３は、所定時間のカウント中は、“１”を出力し、所定時間の３０秒が経過した時刻ｔ４以降は、“０”を出力する。
【００４７】
時刻ｔ２〜ｔ４の間、音アンプ３３へ電力が供給され、放送用スピーカ３６より放送音声が出力され、時刻ｔ４以降は、音アンプ３３への電力供給が遮断される。
【００４８】
（IV）ストリーミング動画、静止画収集の処理
図８（ａ），（ｂ）は、本発明の遠隔放送システムのストリーミング動画、静止画収集の処理を説明する図であり、図８（ａ）は選択された１つのスマートフォン子局３０から静止画を収集する処理を説明する図であり、図８（ｂ）は、システムに属する全部のスマートフォン子局３０から静止画を収集する処理を説明する図である。
【００４９】
先ず、図８（ａ）を見ると、選択されたスマートフォン子局３０−１から中継クラウドサーバー２０を介してスマートフォン親局１０へストリーミング動画、静止画が伝送されている。図１中のスマートフォン子機３２が有するカメラ３７により、スマートフォン子局３０−１の周囲の状況を撮影し、例えば、１秒間隔で静止画、ストリーミング動画をスマートフォン子局３０−１から中継クラウドサーバー２０へ静止画伝送し、中継クラウドサーバー２０は、スマートフォン子局３０−１から送られてくるストリーミング動画、静止画を中継してスマートフォン親局１０へ静止画を伝送する。スマートフォン親局１０のタッチパネル１２上に、スマートフォン子局３０−１の周囲の状況を撮影したストリーミング動画や静止画が１秒毎のコマ送り画像として表示される。
【００５０】
次に、図８（ｂ）を見ると、スマートフォン親局１０に対して、中継クラウドサーバー２０を介して、３つのスマートフォン子局３０−１，３０−２，３０−３が通信回線により接続されている。例えば、（１）スマートフォン子局３０−１→（２）スマートフォン子局３０−２→（３）スマートフォン子局３０−３→（１）スマートフォン子局３０−１の順番で、各スマートフォン子局３０の周囲の状況を撮影した静止画を、例えば、１秒間隔で静止画を各スマートフォン子局３０から中継クラウドサーバー２０へ静止画伝送する。中継クラウドサーバー２０は、３つのスマートフォン子局３０−１，３０−２，３０−３から順番に送られてくる静止画を順番通りにスマートフォン親局１０へ転送する。スマートフォン親局１０のタッチパネル１２には、（１）スマートフォン子局３０−１→（２）スマートフォン子局３０−２→（３）スマートフォン子局３０−３の順番に、各スマートフォン子局３０の周囲の状況を撮影したストリーミング動画、静止画が１秒毎のコマ送り画像として表示される。
【００５１】
（実施形態の効果）
本発明の実施形態の音アンプ起動装置によれば、スマートフォン子機から入力される音入力レベルが閾値を超えると、音アンプの電源をオンとし、音声入力レベルが閾値未満の状態が所定時間継続すると、音アンプの電源をオフとする。これにより、スマートフォン子局や音アンプ電源用のバッテリーの待機時の消費電力を低く抑えることができる。
【００５２】
本発明の実施形態の遠隔放送システムによれば、スマートフォン親機は、スマートフォン子機の全部又は１台を選択し、選択したスマートフォン子機に音声アンプを介して接続された放送用スピーカから放送音声を出力する。更に、スマートフォン子局から所定時間間隔毎にスマートフォン子局の周囲の状況を撮影した静止画をスマートフォン親局へ送信する。これにより、スマートフォン親機を携帯している放送者は、スマートフォン子局の周辺の状況を撮影したストリーミング動画、静止画を収集することができる。そのため、放送者は、移動しながらでもスマートフォン子局の周囲の状況を把握すること可能になるので、適切な災害情報や非難誘導の放送が可能になる。
【００５３】
（変形例）
本発明の実施形態の音アンプ起動装置の説明では、スマートフォン子機から入力される音入力レベルが閾値を超えると、入力される音声信号を増幅した放送音声信号を放送用スピーカへ出力する音アンプの電源をオンとする旨の説明をしたが、音アンプの電源をオンとする条件は、音入力レベルが閾値を超える場合に限定されない。例えば、スマートフォン子局内に、図示しないモーションセンサを設けて、モーションセンサが設定されている閾値レベルを超える揺れを検出したときに、音アンプの電源をオンとするようにしても良い。
【００５４】
本発明の実施形態の遠隔放送システムの概略を示す図１とその説明では、スマートフォン子局は固定局を企図しているが、スマートフォン子局は固定局に限定されない。例えば、放送用スピーカを天井に取り付けた車に、スマートフォン子機と、音アンプと、音アンプ起動装置と、を組み込んだ移動局としても良い。
【００５５】
本発明の実施形態の遠隔放送システムの説明では、放送者が市町村の職員等である防災無線システムに適用した例として説明したが、放送者は市町村の職員等に限定されない。例えば、買い物客が集まるデパート、商店街、スーパーや生徒の集まる学校、児童の集まる幼稚園等における災害時の避難誘導放送にも適用可能である。
【００５６】
本発明の実施形態の遠隔放送システムの説明では、親局及び子局として、スマートフォンを用いた例を説明したが、親局及び子局として、スマートフォン以外の携帯電話、無線インタフェースを備えたパーソナルコンピュータ等の携帯型情報端末を用いて遠隔放送システムを構築しても良い。
【００５７】
本発明の実施形態の音アンプ起動装置では、スマートフォン子機から入力される音入力レベルを検波する検波回路と、検波回路の出力と閾値とを比較するコンパレータと、を含む構成を説明したが、音アンプ起動装置の構成は説明した構成に限定されない。スマートフォン親局から音声アンプ起動信号を送信し、この音声アンプ起動信号により、音アンプの電源をオン・オフ制御しても良い。
【００５８】
以上、本発明の実施形態について説明したが、本発明は、以上に述べた実施形態に限定されるものではなく、本発明の趣旨を逸脱しない範囲内で種々の構成又は実施形態を取ることができる。
【符号の説明】
【００５９】
１０                                                  スマートフォン親局（機）
１１，３１                                            アンテナ
１２                                                  タッチパネル
１３                                                  マイク
２０                                                  中継クラウドサーバー
３０，３０−１，３０−２，・・・，３０−ｎ            スマートフォン子局
３２                                                  スマートフォン子機
３３                                                  音出力端子
３４                                                  音アンプ
３５                                                  音アンプ起動装置
３６                                                  放送用スピーカ
４１                                                  検波回路
４２                                                  コンパレータ
４３                                                  オフタイマ
４４                                                  電源スイッチ
５１                                                  商用電源
５２                                                  ＡＣ／ＤＣコンバータ
５３                                                  二次電池
５４                                                  太陽電池
５５                                                  インバータ
【要約】
【課題】本発明は、放送者が自ら避難しながら避難誘導放送ができる音声アンプ起動装置、スマートフン子局及び遠隔放送システムを提供する。
【解決手段】本発明の遠隔放送システムは、スマートフォン子機から入力される音入力レベルが閾値を超えると、音アンプの電源をオンとし、入力される音信号を増幅した放送音声信号を放送用スピーカへ出力する音声入力レベルが閾値未満の状態が所定時間継続すると、音アンプの電源をオフとする音アンプ起動装置を有している。放送者は、携帯するスマートフォン親機からスマートフォン子局を選択し、スマートフォン親機とスマートフォン子局の通信回線を接続することができる。これにより、放送者は、避難しながら避難誘導の放送を行うことが可能になる。
【選択図】図１【図１】
0005892634.tif 000002
【図２】
0005892634.tif 000003
【図３】
0005892634.tif 000004
【図４】
0005892634.tif 000005
【図５】
0005892634.tif 000006
【図６】
0005892634.tif 000007
【図７】
0005892634.tif 000008
【図８】
0005892634.tif 000009